(57)【要約】【課題】複数のスロットに対して２種類の異なるスロット識別番号の組み合わせを選択的に付与し得るスロット番号設定変更機能付システム基板を提供する。【解決手段】拡張基板２−１〜２−８を装着するための８個のスロット３−１〜３−８を備えるシステム基板１は、前記各スロットに対してスロット位置に１対１で対応する固有のスロット識別番号である０，１，２，・・，７を付与する第１モード設定手段と、前記各スロットに対して第１モードとは異なる付与条件でスロット識別番号を付与する第２モード設定手段と、第１モード設定手段および第２モード設定手段の一方を選択的に作動させる機械式スイッチ６とを具え、第２モード設定手段は、第１モード設定手段を構成する低電位固定ビット、高電位固定ビット、高低電位切換ビットを選択的に組み合わせた８個の３ビットの２進数列の、各高低電位切換ビットの電位の高低を反転させたものである。【選択図】　　　　図１
2004030364.tif 000002
【特許請求の範囲】
【請求項１】
拡張基板を装着するための複数ｎ個のスロットを備えるシステム基板であって、
前記複数ｎ個のスロットのそれぞれに対してスロット位置に１対１で対応する固有のスロット識別番号である０，１，２，・・，ｎ−１を付与する第１モード設定手段と、
前記複数ｎ個のスロットのそれぞれに対して前記第１モードとは異なる付与条件でスロット識別番号を付与する第２モード設定手段と、
前記第１モード設定手段および第２モード設定手段の一方を選択的に作動させることにより前記複数ｎ個のスロットのそれぞれに対して付与するスロット識別番号を設定変更するスロット番号設定変更手段とを具備して成ることを特徴とするスロット番号設定変更機能付システム基板。
【請求項２】
前記第１モード設定手段は、当該拡張基板を装着するスロット位置に応じて０，１，２，・・，ｎ−１が設定されるように、低電位固定ビット、高電位固定ビットおよび高低電位切換ビットを選択的に組み合わせた少なくとも３ビットの２進数列をｎ個備えて成り、前記第２モード設定手段は、前記第１モード設定手段を構成する２進数列の各高低電位切換ビットの電位の高低を反転させた２進数列をｎ個備えて成ることを特徴とする請求項１記載のスロット番号設定変更機能付システム基板。
【請求項３】
前記スロット番号設定変更手段は、前記第１モード設定手段および第２モード設定手段の一方を選択的に作動させる機械式スイッチであることを特徴とする請求項２記載のスロット番号設定変更機能付システム基板。
【請求項４】
前記スロット番号設定変更手段は、前記第１モード設定手段および第２モード設定手段の一方を選択するためのレジスタと、システム起動時の選択情報入力に応じて前記レジスタを作動させて前記第１モード設定手段および第２モード設定手段の一方を作動させるソフトウエアとから成ることを特徴とする請求項２記載のスロット番号設定変更機能付システム基板。
【請求項５】
前記スロット番号設定変更手段は、前記第１モード設定手段および第２モード設定手段のそれぞれに対応する第１および第２の設定用基板と、前記第１および第２の設定用基板の一方を装着するための設定スロットと、前記第１の設定用基板の前記設定スロットへの装着時に前記第１モード設定手段を作動させ前記第２の設定用基板の前記設定スロットへの装着時に前記第２モード設定手段を作動させるスイッチ手段とから成ることを特徴とする請求項２記載のスロット番号設定変更機能付システム基板。
【請求項６】
前記スロット番号設定変更手段は、装着された拡張基板から取り込んだモード要求情報に基づいて前記第１モード設定手段および第２モード設定手段の一方を選択的に作動させる電子式スイッチであることを特徴とする請求項２記載のスロット番号設定変更機能付システム基板。
【発明の詳細な説明】
【０００１】
【発明の属する技術分野】
本発明は、拡張基板を装着するための複数ｎ個のスロットを備えるシステム基板にスロット番号設定変更機能を搭載した、スロット番号設定変更機能付システム基板に関するものである。
【０００２】
【従来の技術】
従来、拡張基板を装着するための複数個のスロットを備えるシステム基板に複数枚の拡張基板を装着して構成したシステム（電話交換システム等）では、例えば図６に示すようなシステム基板５１を用いている。このシステム基板５１は、最大８枚の拡張基板５２（５２−１〜５２−８）を装着するためにシステム基板上に連続的に設けられたスロット５３（５３−１〜５３−８）を備えており、スロット５３−１〜５３−８にはそれぞれ、スロット位置に１対１で対応する固有のスロット識別番号である０，１，２，・・，７が以下のようにして付与されている。
【０００３】
すなわち、スロット５３に装着する拡張基板５２−１〜５２−８のそれぞれはスロット識別番号を設定するための３ビットの端子ａ，ｂ，ｃを有しており、システム基板５１のスロット５３−１〜５３−８のそれぞれは前記端子ａ，ｂ，ｃのそれぞれに対応する３ビットの端子Ａ，Ｂ，Ｃを有しており、各スロットの端子Ａ，Ｂ，Ｃはジャンパピン等を用いて図示のように低電位（Ｌ）または高電位（Ｈ）に固定する構成としているため、スロット５３−１〜５３−８に拡張基板５２−１〜５２−８を装着することにより、「０００」、「００１」、「０１０」、「０１１」、「１００」、「１０１」、「１１０」、「１１１」という３ビットの２進数列が生成される。これら２進数列は、１０進法で表わすと、０，１，２，３，４，５，６，７となるので、スロット５３−１，５３−２，５３−３，５３−４，５３−５，５３−６，５３−７，５３−８のスロット識別番号はそれぞれ、０，１，２，３，４，５，６，７となる。このようにして決定されたスロット識別番号は、スロットへの装着時に拡張基板によって自動的に認識されるので、各スロットに装着した拡張基板は、当該スロット識別番号に応じて動作することになる。
【０００４】
【発明が解決しようとする課題】
上述したような従来のシステム基板は、システム基板上において各スロットの３ビットの端子をジャンパピン等を用いて低電位（Ｌ）または高電位（Ｈ）に固定する構成としているため、複数のスロットに対しスロット位置に応じた固有のスロット識別番号を付与するという、１種類のスロット識別番号設定方法しか実現できない。
【０００５】
なお、上記従来のシステム基板において、スロットの３ビットの端子の低電位（Ｌ）または高電位（Ｈ）の設定をジャンパピン等を用いて変更することによりスロット識別番号を設定変更することができるが、その場合、スロット識別番号の重複を避けるために少なくとも２つのスロットに関する変更が必要であり、大幅な設定変更を希望する場合は、大部分のスロットにおいて３ビットの端子の低電位（Ｌ）または高電位（Ｈ）の設定をジャンパピン等を用いて変更する必要があるため、設定変更作業が極めて面倒である。
また、システム基板側のスロット識別番号の設定を無視して、拡張基板側でジャンパピン等を用いて所望のスロット識別番号を強制的に設定する方法も考えられるが、その場合、複数枚の拡張基板の装着時には複数枚分の設定変更作業の手間が掛かって面倒である上に、誤設定が生じるおそれがある。
【０００６】
本発明は、複数のスロットに対して２種類の異なるスロット識別番号の組み合わせを所望に応じて切り換えて使用するようにした、スロット番号設定変更機能付システム基板を提供することを目的とする。
【０００７】
【課題を解決するための手段】
上記目的を達成するため、請求項１に記載の第１発明は、拡張基板を装着するための複数ｎ個のスロットを備えるシステム基板であって、前記複数ｎ個のスロットのそれぞれに対してスロット位置に１対１で対応する固有のスロット識別番号である０，１，２，・・，ｎ−１を付与する第１モード設定手段と、前記複数ｎ個のスロットのそれぞれに対して前記第１モードとは異なる付与条件でスロット識別番号を付与する第２モード設定手段と、前記第１モード設定手段および第２モード設定手段の一方を選択的に作動させることにより前記複数ｎ個のスロットのそれぞれに対して付与するスロット識別番号を設定変更するスロット番号設定変更手段とを具備して成ることを特徴とする。
【０００８】
第１発明によれば、拡張基板を装着するための複数ｎ個のスロットを備えるシステム基板を用いて、前記複数ｎ個のスロットのそれぞれに対して付与するスロット識別番号を設定変更する際には、前記複数ｎ個のスロットのそれぞれに対してスロット位置に１対１で対応する固有のスロット識別番号である０，１，２，・・，ｎ−１を付与する第１モード設定手段および前記複数ｎ個のスロットのそれぞれに対して前記第１モードとは異なる付与条件でスロット識別番号を付与する第２モード設定手段の一方をスロット番号設定変更手段が選択的に作動させるから、複数のスロットに対して２種類の異なるスロット識別番号の組み合わせを所望に応じて切り換えて使用するようにしたスロット番号設定変更機能付システム基板を提供することができる。したがって、拡張基板の交換に伴いスロット識別番号の変更が生じるアップグレード作業を行う際には、システム基板自体を交換することなく、スロット番号設定変更手段により第２モード設定手段を作動させて第２モードのスロット識別番号を付与するだけで、極めて簡単にアップグレード作業を行うことができる。したがって、アップグレード作業の作業効率が向上し、ジャンパピン等を用いた設定に伴う誤設定が生じることもない。また、複数ｎ個のスロットに対して２種類の異なるスロット識別番号の組み合わせを所望に応じて切り換えて使用し得るスロット番号設定変更機能付システム基板が提供できるので、システム基板の製品の種類を半減させて大量生産によってコストダウンすることができる。
【０００９】
前記第１モード設定手段は、当該拡張基板を装着するスロット位置に応じて０，１，２，・・，ｎ−１が設定されるように、低電位固定ビット、高電位固定ビットおよび高低電位切換ビットを選択的に組み合わせた少なくとも３ビットの２進数列をｎ個備えて成り、前記第２モード設定手段は、前記第１モード設定手段を構成する２進数列の各高低電位切換ビットの電位の高低を反転させた２進数列をｎ個備えて成るのが、複数ｎ個のスロットに対して２種類の異なるスロット識別番号の組み合わせを用意して、所望に応じて切り換えて使用する上で好ましい。
【００１０】
前記スロット番号設定変更手段は、前記第１モード設定手段および第２モード設定手段の一方を選択的に作動させる機械式スイッチであるのが、簡単な構成で所望のモード選択機能を実現する上で好ましい。
【００１１】
前記スロット番号設定変更手段は、前記第１モード設定手段および第２モード設定手段の一方を選択するためのレジスタと、システム起動時の選択情報入力に応じて前記レジスタを作動させて前記第１モード設定手段および第２モード設定手段の一方を作動させるソフトウエアとから成るのが、簡単な構成で所望のモード選択機能を実現する上で好ましい。
【００１２】
前記スロット番号設定変更手段は、前記第１モード設定手段および第２モード設定手段のそれぞれに対応する第１および第２の設定用基板と、前記第１および第２の設定用基板の一方を装着するための設定スロットと、前記第１の設定用基板の前記設定スロットへの装着時に前記第１モード設定手段を作動させ前記第２の設定用基板の前記設定スロットへの装着時に前記第２モード設定手段を作動させるスイッチ手段とから成るのが、簡単な構成で所望のモード選択機能を実現する上で好ましい。
【００１３】
前記スロット番号設定変更手段は、装着された拡張基板から取り込んだモード要求情報に基づいて前記第１モード設定手段および第２モード設定手段の一方を選択的に作動させる電子式スイッチであるのが、簡単な構成で所望のモード選択機能を実現する上で好ましい。
【００１４】
【発明の実施の形態】
以下、本発明の実施の形態を図面に基づき詳細に説明する。図１は本発明の第１実施形態のシステム基板上に設けた複数のスロットに拡張基板を装着した状態を示す図である。本実施形態のシステム基板１は、例えば電話交換システムを構成するための専用基板として構成されており、そのスロットに装着する拡張基板は、予め装着すべきスロット位置が指定されているものとする。
【００１５】
本実施形態のシステム基板１は、図１に示すように、最大ｎ枚（図示例の場合８枚）の拡張基板２（２−１〜２−８）を装着するためにシステム基板上に連続的に設けられた複数ｎ個（この場合、ｎ＝８個）のスロット３（３−１〜３−８）を備えている。なお、スロット３の数は８個に限定されるものではなく、所望に応じて増減させることができる。
【００１６】
上記拡張基板２（２−１〜２−８）のそれぞれは、スロット識別番号を設定するための３ビットの端子ａ，ｂ，ｃを有しており、端子ａ，ｂ，ｃは、プルアップ処理されているため所定電位（Ｈ）を保持している。また、上記システム基板１のスロット３（３−１〜３−８）のそれぞれは、前記端子ａ，ｂ，ｃのそれぞれに対応する３ビットの端子Ａ，Ｂ，Ｃを有している。各スロットの端子Ａ，Ｂ，Ｃは、ジャンパピン等を用いて、システム基板１に設けられた低電位ライン（Ｌライン）４に接続したり、システム基板１に設けられた高低電位切換ライン（Ｈ／Ｌライン）５−１，５−２に接続したりすることにより、「低電位固定ビット」または「高低電位切換ビット」に設定されている。なお、スロット３の数を増加させて例えば１６（＝２４　）個にした場合、スロット識別番号を設定するための端子を４ビットの端子ａ，ｂ，ｃ，ｄに変更すればよい。
【００１７】
上記高低電位切換ライン（Ｈ／Ｌライン）５−１は、後述する「第１モード」が選択された場合に「高電位ビット」として機能し、後述する「第２モード」が選択された場合に「低電位ビット」として機能する。上記高低電位切換ライン（Ｈ／Ｌライン）５−２は、後述する「第１モード」が選択された場合に「低電位ビット」として機能し、後述する「第２モード」が選択された場合に「高電位ビット」として機能する。なお、各スロットの端子Ａ，Ｂ，Ｃは、Ｌライン４，Ｈ／Ｌライン５−１，５−２の何れにも接続しないオープン状態とすることにより、拡張基板２側の所定電位（Ｈ）が保持されるため、「高電位固定ビット」として機能することになる。
【００１８】
上記システム基板１にはさらに、機械式スイッチ６およびそれに接続される２つのダイオードＤ１，Ｄ２が設けられており、機械式スイッチ６およびＤ１はＨ／Ｌライン５−１に直列接続され、機械式スイッチ６、Ｄ１およびＤ２はＨ／Ｌライン５−２に直列接続されるため、機械式スイッチ６を低電位（Ｌ）に切り換える第１モード選択時には、高低電位切換ライン（Ｈ／Ｌライン）５−１が「高電位ビット」として機能するとともに高低電位切換ライン（Ｈ／Ｌライン）５−２が「低電位ビット」として機能し、機械式スイッチ６を高電位（Ｈ）に切り換える第２モード選択時には、高低電位切換ライン（Ｈ／Ｌライン）５−１が「低電位ビット」として機能するとともに高低電位切換ライン（Ｈ／Ｌライン）５−２が「高電位ビット」として機能する。
【００１９】
以上をまとめると、図２に示すようになる。すなわち、スロット３−１〜３−８に拡張基板２−１〜２−８を装着する場合の第１モード選択時には、低電位固定ビット、高電位固定ビットおよび高低電位切換ビットの組み合わせにより生成される３ビットの２進数列はそれぞれ、「０００」、「００１」、「０１０」、「０１１」、「１００」、「１０１」、「１１０」、「１１１」となる。これら２進数列は、１０進法で表わすと、０，１，２，３，４，５，６，７となるので、スロット３−１，３−２，３−３，３−４，３−５，３−６，３−７，３−８のスロット識別番号はそれぞれ、０，１，２，３，４，５，６，７となる。この場合、８個のスロット３−１〜３−８のそれぞれに対して、スロット位置に１対１で対応する固有のスロット識別番号である０，１，２，・・，ｎ−１が付与されるので、各スロットの端子Ａ，Ｂ，Ｃ、各拡張基板の端子ａ，ｂ，ｃおよびＬライン４，Ｈ／Ｌライン５−１，５−２は、第１モード設定手段として機能することになる。
【００２０】
一方、スロット３−１〜３−８に拡張基板２−１〜２−８を装着する場合の第２モード選択時には、低電位固定ビット、高電位固定ビットおよび高低電位切換ビットの組み合わせにより生成される３ビットの２進数列はそれぞれ、「０００」、「０１０」、「１００」、「１１０」、「０００」、「０１０」、「１００」、「１１０」となる。これら２進数列は、１０進法で表わすと、０，２，４，６，０，２，４，６となるので、スロット３−１，３−２，３−３，３−４，３−５，３−６，３−７，３−８のスロット識別番号はそれぞれ、０，２，４，６，０，２，４，６となる。この場合、８個のスロット３−１〜３−８のそれぞれに対して、上記第１モードの場合とは異なる付与条件でスロット識別番号が付与されるので、各スロットの端子Ａ，Ｂ，Ｃ、各拡張基板の端子ａ，ｂ，ｃおよびＬライン４，Ｈ／Ｌライン５−１，５−２は、第２モード設定手段として機能することになる。
その際、機械式スイッチ６は、第１モード設定手段および第２モード設定手段の一方を選択的に作動させることにより複数ｎ個のスロットのそれぞれに対して付与するスロット識別番号を設定変更するスロット番号設定変更手段として機能し、簡単な構成で所望のモード選択機能を実現することになる。
【００２１】
なお、上記のようにして決定されたスロット識別番号は、スロット３−１〜３−８への装着時に拡張基板２−１〜２−８によって自動的に認識されるので、各スロットに装着した拡張基板は、当該スロット識別番号に応じて動作することになる。
【００２２】
次に、本実施形態のシステム基板を用いた拡張基板のアップグレード作業について説明する。
例えば、本実施形態のシステム基板１を用いて構成した電話交換システムにおいて、当初はスロット３−１〜３−８の全てを使用してそれらに拡張基板２−１〜２−８を装着していたものが、拡張基板の機能のアップグレードにより２枚の拡張基板（拡張基板２−１，２−２等）の機能が新たな１枚の拡張基板（拡張基板２−１等）によって置き換え可能になった場合には、機械式スイッチ６を高電位（Ｈ）側に切り換えて第２モードを選択する。これにより、スロット３−１〜３−４のスロット識別番号がそれぞれ０，２，４，６となるので、スロット３−１に拡張基板２−１，２−２の機能を有する新たな拡張基板２−１を装着し、スロット３−２に拡張基板２−３，２−４の機能を有する新たな拡張基板２−３を装着し、スロット３−３に拡張基板２−５，２−６の機能を有する新たな拡張基板２−５を装着し、スロット３−４に拡張基板２−７，２−８の機能を有する新たな拡張基板２−７を装着することにより、アップグレード作業が完了する。
【００２３】
本実施形態のシステム基板１によれば、拡張基板の交換に伴いスロット識別番号の変更が生じるアップグレード作業を行う際には、システム基板自体を交換することなく、システム基板に設けた機械式スイッチ６により第２モードに切り換えるだけで、システム基板１のスロット側や拡張基板側でのジャンパピン等を用いた設定変更作業を行うことなく、極めて簡単にアップグレード作業を行うことができる。したがって、アップグレード作業や保守作業の作業効率が向上し、ジャンパピン等を用いた設定に伴う誤設定が生じることもない。
【００２４】
また、本実施形態によれば、８個のスロット３−１〜３−８に対して２種類の異なるスロット識別番号の組み合わせを所望に応じて切り換えて使用し得るスロット番号設定変更機能付のシステム基板１を提供できるので、システム基板の製品の種類を半減させて大量生産によってコストダウンすることができる。
【００２５】
図３は本発明の第２実施形態のシステム基板上に設けた複数のスロットに拡張基板を装着した状態を示す図である。本実施形態のシステム基板１は、図１に示す第１実施形態のシステム基板１に対し、機械式スイッチ６に代えて、レジスタ７およびソフトウエア８を用いる変更を加えたものであり、それ以外の部分は上記第１実施形態と同様に構成する。
【００２６】
本実施形態のシステム基板１においては、システム起動時に選択情報入力を促すメッセージが表示され、それに応じて「第１モード」を選択する操作がなされた場合には、ソフトウエア８がレジスタ７を作動させて第１実施形態と同様に構成される第１モード設定手段を作動させることにより、８個のスロット３−１〜３−８のそれぞれに対して、スロット位置に１対１で対応する固有のスロット識別番号である０，１，２，・・，７が付与される。また、システム起動時に選択情報入力を促すメッセージが表示され、それに応じて「第２モード」を選択する操作がなされた場合には、ソフトウエア８がレジスタ７を作動させて第１実施形態と同様に構成される第２モード設定手段を作動させることにより、８個のスロット３−１〜３−８のそれぞれに対して、スロット識別番号０，２，４，６，０，２，４，６が付与される。その際、レジスタ７およびソフトウエア８は、第１モード設定手段および第２モード設定手段の一方を選択的に作動させることにより複数ｎ個のスロットのそれぞれに対して付与するスロット識別番号を設定変更するスロット番号設定変更手段として機能し、簡単な構成で所望のモード選択機能を実現することになる。
【００２７】
本実施形態のシステム基板１によれば、上記第１実施形態と同様の効果を得ることができる。
【００２８】
図４は本発明の第３実施形態のシステム基板上に設けた複数のスロットに拡張基板を装着した状態を示す図である。本実施形態のシステム基板１は、図１に示す第１実施形態のシステム基板１に対し、機械式スイッチ６に代えて、第１モード設定手段および第２モード設定手段のそれぞれに対応する第１の設定用基板９−１および第２の設定用基板９−２と、前記設定用基板の一方を装着するための設定スロット１０と、スイッチ手段１１とを用いる変更を加えたものであり、それ以外の部分は上記第１実施形態と同様に構成する。
【００２９】
本実施形態のシステム基板１においては、第１の設定用基板９−１を設定スロット１０へ装着したときには、スイッチ手段１１が第１実施形態と同様に構成される第１モード設定手段を作動させることにより、８個のスロット３−１〜３−８のそれぞれに対して、スロット位置に１対１で対応する固有のスロット識別番号である０，１，２，・・，７が付与される。また、第２の設定用基板９−２を設定スロット１０へ装着したときには、スイッチ手段１１が第１実施形態と同様に構成される第２モード設定手段を作動させることにより、８個のスロット３−１〜３−８のそれぞれに対して、スロット識別番号０，２，４，６，０，２，４，６が付与される。その際、第１の設定用基板９−１または第２の設定用基板９−２、設定スロット１０およびスイッチ手段１１は、第１モード設定手段および第２モード設定手段の一方を選択的に作動させることにより複数ｎ個のスロットのそれぞれに対して付与するスロット識別番号を設定変更するスロット番号設定変更手段として機能し、簡単な構成で所望のモード選択機能を実現することになる。
【００３０】
本実施形態のシステム基板１によれば、上記第１実施形態と同様の効果を得ることができる。
【００３１】
図５は本発明の第４実施形態のシステム基板上に設けた複数のスロットに拡張基板を装着した状態を示す図である。本実施形態のシステム基板１は、図１に示す第１実施形態のシステム基板１に対し、機械式スイッチ６に代えて、電子式スイッチ１２と、電子式スイッチ１２に接続されるモード要求情報ライン１３と、拡張基板２−１〜２−８にそれぞれ追加した１ビットのモード要求情報ビットｍとを用いる変更を加えたものであり、それ以外の部分は上記第１実施形態と同様に構成する。なお、本実施形態においては、装着する拡張基板２−１〜２−８から送出されるモード要求情報は、第１モード要求情報または第２モード要求情報に統一されているものとする。
【００３２】
本実施形態のシステム基板１においては、モード要求情報ライン１３を経てスロット３−１〜３−８に装着された少なくとも１つの拡張基板から取り込んだモード要求情報が第１モード要求情報である場合には、電子式スイッチ１２が第１実施形態と同様に構成される第１モード設定手段を作動させることにより、８個のスロット３−１〜３−８のそれぞれに対して、スロット位置に１対１で対応する固有のスロット識別番号である０，１，２，・・，７が付与される。また、モード要求情報ライン１３を経てスロット３−１〜３−８に装着された少なくとも１つの拡張基板から取り込んだモード要求情報が第２モード要求情報である場合には、電子式スイッチ１２が第１実施形態と同様に構成される第２モード設定手段を作動させることにより、８個のスロット３−１〜３−８のそれぞれに対して、スロット識別番号０，２，４，６，０，２，４，６が付与される。その際、電子式スイッチ１２、モード要求情報ライン１３および各拡張基板２にそれぞれ追加した１ビットのモード要求情報ビットｍは、第１モード設定手段および第２モード設定手段の一方を選択的に作動させることにより複数ｎ個のスロットのそれぞれに対して付与するスロット識別番号を設定変更するスロット番号設定変更手段として機能し、簡単な構成で所望のモード選択機能を実現することになる。
【００３３】
本実施形態のシステム基板１によれば、上記第１実施形態と同様の効果を得ることができる。
【図面の簡単な説明】
【図１】本発明の第１実施形態のシステム基板上に設けた複数のスロットに拡張基板を装着した状態を示す図である。
【図２】第１実施形態のシステム基板において、第１モード選択時および第２モード選択時の、各スロットに対応する３ビットの２進数列およびスロット識別番号を示す図である。
【図３】本発明の第２実施形態のシステム基板上に設けた複数のスロットに拡張基板を装着した状態を示す図である。
【図４】本発明の第３実施形態のシステム基板上に設けた複数のスロットに拡張基板を装着した状態を示す図である。
【図５】本発明の第４実施形態のシステム基板上に設けた複数のスロットに拡張基板を装着した状態を示す図である。
【図６】従来のシステム基板上に設けた複数のスロットに拡張基板を装着した状態を示す図である。
【符号の説明】
１　システム基板
２（２−１〜２−８）　拡張基板
３（３−１〜３−８）　スロット
４　低電位ライン（Ｌライン）
５−１，５−２　高低電位切換ライン（Ｈ／Ｌライン）
６　機械式スイッチ
７　レジスタ
８　ソフトウエア
９−１　第１の設定用基板
９−２　第２の設定用基板
１０　　設定スロット
１１　スイッチ手段
１２　電子式スイッチ
１３　モード要求情報ライン
ａ，ｂ，ｃ　端子
Ｄ１，Ｄ２　ダイオード
ｍ　モード要求情報ビット
【図１】
2004030364.tif 000003
【図２】
2004030364.tif 000004
【図３】
2004030364.tif 000005
【図４】
2004030364.tif 000006
【図５】
2004030364.tif 000007
【図６】
2004030364.tif 000008